(57)【要約】【課題】            従来の玄関等に設置されるデータ録画システムは、不要な撮像も間断なく行うため、エネルギーの消費が大きかったという点であり、録画されたデータ確認は帰宅後でなければ確認できなかったという点であり、また、太陽光に起因してメモリー素子等が悪影響を受けてしまうという点である。【解決手段】        建築物の開口部にあって、外部の状況をカメラにより動画データで記録する装置にあって、その記録を一定時間停止させるためのスイッチング機能を備えたこととする。【選択図】          図１
2008153803.tif 000002
【特許請求の範囲】
【請求項１】
建築物の開口部にあって、外部の状況をカメラにより動画データで記録する装置にあって、その記録を一定時間停止させるためのスイッチング機能を備えたことを特徴とするデータ録画システム。
【請求項２】
建築物の開口部にあって、外部の状況をカメラにより動画データで記録する装置にあって、連続センサー反応がある場合、断続録画とし、かつ、記録回数を制限することを特徴とするデータ録画システム。
【請求項３】
建築物の開口部にあって、外部の状況をカメラにより動画データで記録する装置にあって、該装置に外部機器を電気的に接続し、ネットワークを介して指定したメールアドレスに対し、静止画データを送信可能としたことを特徴とするデータ録画システム。
【請求項４】
前記したネットワークはＬＡＮであることを特徴とする請求項３に記載のデータ録画システム。
【請求項５】
建築物の開口部にあって、外部の状況をカメラにより動画データで記録する装置にあって、一定時間センサー反応が継続することによって、動画のデータ記録を撮像開始することを特徴とするデータ録画システム。
【請求項６】
建築物の開口部にあって、外部の状況をカメラにより動画データで記録する装置にあって、一定時間間隔で記録できるようにし、センサーの反応によって記録時間を切り替えることを特徴とするデータ録画システム。
【請求項７】
建築物の開口部にあって、外部の状況をカメラにより動画データで記録する装置にあって、前記カメラから取り込まれる光量を制限することを特徴とする録画システム。
【請求項８】
前記した光量の制限としてフォトクロミックガラスで成形されたレンズを使用していることを特徴とする請求項７に記載のデータ録画システム。
【発明の詳細な説明】
【技術分野】
【０００１】
本発明はデータ録画システム、特に建築物それも住宅の出入口にあって、セキュリティーの一環として不在の際に不審者をはじめとする訪問者の様子、状況を動画データとして記録するシステムに関する。
【背景技術】
【０００２】
従来、例えば玄関口にあってドアやその周辺に監視カメラを装備し、特に不在中における訪問者等を録画しておくシステムの存在が知られている。
【０００３】
また、前記した録画システムはＯＮ状態とされると、人体の存在をセンサーで検知すると、継続して録画を実行するため、家人の出入をはじめ、長時間佇んでいる人等も無用に録画をデータとして撮像し、メモリーに保存していくものとなっており、エネルギーの無駄な消費が大きくなってしまうものとなっている。
【０００４】
また、録画されたデータは帰宅後でなければチェックすることができず、重要な来客への連絡や、不審者を発見した場合でも警察やセキュリティー会社等への通報もでき得ないことが多かった。
【０００５】
さらには、カメラレンズは屋外へ向けられているため、強い太陽光、特に紫外線を受けることでイメージ素子に悪影響を及ぼし、精度や製品寿命を低下させてしまうことも多かった。
【特許文献１】本願発明について、出願人は先行する技術文献の調査を行なったが、格別に本願発明と関連し、類似すると思われる内容の記載された文献は発見することができなかった。
【発明の開示】
【発明が解決しようとする課題】
【０００６】
本発明が解決しようとする問題点は、従来の玄関等に設置されるデータ録画システムは、不要な撮像も間断なく行うため、エネルギーの消費が大きかったという点であり、録画されたデータ確認は帰宅後でなければ確認できなかったという点であり、また、太陽光に起因してメモリー素子等が悪影響を受けてしまうという点である。
【課題を解決するための手段】
【０００７】
この問題点を解決するために、本発明に係るデータ録画システムは建築物の開口部にあって、外部の状況をカメラにより動画データで記録する装置にあって、その記録を一定時間停止させるためのスイッチング機能を備えたことを特徴としている。
【０００８】
また、本発明に係るデータ録画システムは建築物の開口部にあって、外部の状況をカメラにより動画データで記録する装置にあって、連続センサー反応がある場合、断続録画とし、かつ、記録回数を制限することを特徴としている。
【０００９】
さらに、本発明に係るデータ録画システムは建築物の開口部にあって、外部の状況をカメラにより動画データで記録する装置にあって、該装置に外部機器を電気的に接続し、ネットワークを介して指定したメールアドレスに対し、静止画データを送信可能としたことを特徴とし、前記したネットワークはＬＡＮであることを特徴としている。
【００１０】
そして、本発明に係るデータ録画システムは建築物の開口部にあって、外部の状況をカメラにより動画データで記録する装置にあって、一定時間センサー反応が継続することによって、動画のデータ記録を撮像開始することを特徴としている。
【００１１】
また、本発明に係るデータ録画システムは建築物の開口部にあって、外部の状況をカメラにより動画データで記録する装置にあって、一定時間間隔で記録できるようにし、センサーの反応によって記録時間を切り替えることを特徴としている。
【００１２】
さらに、本発明に係るデータ録画システムは建築物の開口部にあって、外部の状況をカメラにより動画データで記録する装置にあって、前記カメラから取り込まれる光量を制限することを特徴とし、前記した光量の制限としてフォトクロミックガラスで成形されたレンズを使用していることを特徴としている。
【発明の効果】
【００１３】
まず、請求項１の発明によれば、スイッチングをＯＮとすることで、一定時間撮像を停止させ、自分自身をはじめ、家人が扉から出入する姿を記録する無駄を省くことができる。
【００１４】
次に、請求項２の発明によれば、動画を記録する際に、その時間と回数を制限（指定）することでバッテリーの消費、即ち、電気エネルギーの節減を図ることができる。
【００１５】
また、請求項３及び請求項４の発明によれば、録画されたデータを静止画像として指定したメールアドレス、多くの場合は自分の携帯電話機のメールアドレスへ送信できるため、外出中であっても記録されたデータを確認することができる。
【００１６】
さらに、請求項５の発明によれば、通過しただけの人や短時間の滞在者等の記録を撮ることがなくなり、バッテリー及び記録媒体（メモリー）の無駄な使用を抑制することができる。
【００１７】
そして、請求項６の発明によれば、訪問者の有無にあわせて記録時間を切り替える事ができるので、無駄な撮像を極力抑え、必要時にのみ十分な記録を残すことができる。
【００１８】
また、請求項７及び請求項８の発明によれば、外部の光量が変化した際にイメージ素子を光、特に紫外線から保護し、光量の少ない場所や時間帯でも一定の明るさを確保した鮮明な映像を得ることができ、しかも、外部光量の変化に伴うレンズ変換作業も不要となる。
【発明を実施するための最良の形態】
【００１９】
図面として示し、実施例に記載したような構成とすることで実現した。
【実施例１】
【００２０】
次に、本発明の好ましい実施の例を図面を参照して説明する。図１は本発明に係るデータ録画システムを実施した一定時間停止機能を示すタイムチャート図、図２は同じく記録時間及び記録回数を設定した機能を示すタイムチャート図、図３は同じくメール送信機能を示すブロック図、図４は同じく反応時間を設定した機能を示すタイムチャート図、図５は同じくセンサー反応による記録設定の自動切り替え機能を示すタイムチャート図、図６は同じくフォトクロミックレンズを用いた機能を示す図である。
【００２１】
まず、実施の例の説明に先立って、本発明の実施に必要なカメラシステムの概略を説明する。カメラとしてはＣＣＤやＣＭＯＳカメラ等が用いられ、監視用として使用される類のカメラは全てが使用可能となり、加えて、生体、特に人体の感知センサーを必要とする。撮像された画面は動画用、静止画用の変換部、これの合成部、そしてモニターやＰＣで記録を見る場合、その伝送路と、データの分離、複合部が必要となる。また、画像には既知の圧縮方式を用いることもできる。
【００２２】
図１により、請求項１に記載の発明を説明すると、カメラによる撮像とその画像の記録は人体センサーの検知により始動するが、センサーに入力をＯＦＦとするスイッチを設けてあり、このスイッチを入れることで、センサーの検知機能を停止あるいはデータ録画のカメラもしくはメモリーの機能を一定時間停止させることとする。これによってカメラが監視する扉を開け、家人が出入する姿を記録するという無駄が生じなくなる。また、前記スイッチはタイマ性のものとし、前記した一定時間の経過後には復元され、通常の録画記録作業を実行する。
【００２３】
また、図２により、請求項２に記載の発明を説明すると、センサーの反応に対応して、記録時間を５秒間、回数を２回と設定すると、センサーの検知に対応し、５秒間の撮像記録を行なうがセンサーの反応時間が長く、例えば長時間玄関先に居座る人等がいた場合には、その一部始終を記録するのではなく、センサーが反応していても５秒間ごとに２回のみの記録しか行なわない。これによって、無駄と思われる撮像や記録を省き、バッテリーの消費を抑制することができる。
【００２４】
さらに、図３により、請求項３及び請求項４に記載の発明を説明する。この発明によれば、カメラで撮像された、動画、静止画像はデータ記録装置（メモリー）に記録され、このデータをＬＡＮを経由して電子メール送信する機能を有する外部機器に転送し、この外部機器から指定されたメールアドレス、多くの場合携帯電話機のメールアドレスへメール送信する。この機能によって、従来、帰宅後でなければ確認することができなかった撮像データを外出先でも確認することができるようになり、重要人物への連絡、あるいは不審者の発見による通報等を速やかに行なうことができる。この場合のメールで送信されるデータは静止画を想定しているが、動画とすることもでき、また、外部機器もＬＡＮ機能に限られず、ネットワークを介して電子メールが送信できるものであればよい。
【００２５】
また、図４により、請求項５に記載の発明を説明する。この発明によると、センサーの反応時間が一定時間以上できない場合には撮像、その記録、保存を行なわないようにする。この実施例では、その一定時間として３秒を設定した場合を示している。この構成では、図４に示すように、センサーの反応が３秒以内の１秒や２秒の場合では記録がなされず、５秒、１０秒の場合には記録をすることとなる。これによって、単に通過しただけの人等は記録することがなくなり、バッテリーの消費を抑制するとともに、記録媒体の容量も節約することができる。
【００２６】
さらに、図５によって、請求項６に記載の発明を説明する。この発明によると、記録時間を一定時間の間隔ごとに断続して行なうように設定した場合、センサーによる反応があった時には、その記録する時間間隔を自動的に切り替えることができることとしている。この切り替えは特に、時間間隔を短縮するものとなっており、例えば訪問者があった場合等にのみ、記録時間の間隔を詰めて撮像及びその記録を行なうことができることとなる。
【００２７】
そして、図６によって請求項７及び請求項８に記載の発明を説明する。この発明によれば、本発明の実施に必要な要素となるレンズをフォトクロミックガラス製のものとした。このフォトクロミックレンズはハロゲン化銀結晶を含んでおり、光の照射によって着色し、照射がなくなると元の状態となる特性を有している。又、着色の濃度や着色、退色の速度も大きく、繰り返しての疲労もないものとなっている。本システムに使用されるイメージ素子は光線、それも紫外線の照射によって劣化してしまうものも多く、光量を制限することでこのイメージ素子への悪影響をレンズの交換作業なしに実行することができ、加えて、光量の少ない場所や時間帯でも鮮明な映像を確保することができる。
【産業上の利用可能性】
【００２８】
本発明に係るデータ録画システムは上記のように構成されている。実施例においては、主として個人住宅における玄関口への設置を想定しているが、これはこの玄関口に限定されるものではなく、住宅の窓口やベランダ等へも実施でき、また、街中、公園、道路等の戸外における監視カメラシステムへの応用実施も勿論可能なものとなる。
【図面の簡単な説明】
【００２９】
【図１】本発明に係るデータ録画システムを実施した一定時間停止機能を示すタイムチャート図である。
【図２】記録時間及び記録回数を設定した機能を示すタイムチャート図である。
【図３】メール送信機能を示すブロック図である。
【図４】反応時間を設定した機能を示すタイムチャート図である。
【図５】センサー反応による記録設定の自動切り替え機能を示すタイムチャート図である。
【図６】フォトクロミックレンズを用いた機能を示す図である。
【図１】
2008153803.tif 000003
【図２】
2008153803.tif 000004
【図３】
2008153803.tif 000005
【図４】
2008153803.tif 000006
【図５】
2008153803.tif 000007
【図６】
2008153803.tif 000008